(57)【要約】【課題】放電空間中で凝集し発生した微粒子、真空室内壁面または放電電極上に成膜された後、剥離して発生した破片状粒子等の粒子が被成膜基板上へ付着することを防止し、特性歩留まりの良好な太陽電池等電子デバイスを提供する。【解決手段】成膜室内において、導入するガスの流れを被成膜基板の成膜面から遠ざかる方向に整流することにより、放電空間で発生した微粒子、及び真空室内壁面や放電電極上から剥離して発生した破片状粒子をガスの流れに乗せて排出し、被成膜基板の成膜面に付着することを防止する。また前記微粒子や破片状粒子は、放電電極表面全体に設けた複数の開口部から吸引し排出し、放電電極上に堆積する膜の量と剥離し排出する膜の量が釣り合った定常状態にすることにより、放電電極のクリーニングを長時間行わずに連続成膜が可能となる。【選択図】図５
2010031381.tif 000002
【特許請求の範囲】
【請求項１】
巻き出しロール及び巻き取りロールからなる基板搬送装置と、
巻き出し用真空室と、
成膜用真空室と、
巻き取り用真空室と、
前記成膜用真空室内にガスを導入する手段と、
前記ガスを前記成膜用真空室外へ排気する手段と、
前記成膜用真空室内に電気エネルギーを供給する電極とを備え、
前記巻き出しロールから巻き出された基板を巻き取りロールで巻き取りながら搬送し、前記成膜用真空室にて成膜するプラズマＣＶＤ装置であって、
前記巻き出し用真空室には前記巻き出しロールが設置され、
前記巻き取り用真空室には前記巻き取りロールが設置され、
前記電極は前記基板に対向して設けられ、
前記ガスを導入する手段は、前記基板の前記電極側の表面近傍に設けられ、
前記電極は複数の開口を有し、
前記ガスを、前記複数の開口から前記成膜用真空室外へ排気することを特徴とするプラズマＣＶＤ装置。
【請求項２】
巻き出しロール及び巻き取りロールからなる基板搬送装置と、
巻き出し用真空室と、
成膜用真空室と、
巻き取り用真空室と、
前記成膜用真空室内にガスを導入する手段と、
前記ガスを前記成膜用真空室外へ排気する手段と、
前記成膜用真空室内に電気エネルギーを供給する電極と、
前記排気する手段と前記電極との間に設けられた異常放電防止板とを備え、
前記巻き出しロールから巻き出された基板を巻き取りロールで巻き取りながら搬送し、前記成膜用真空室にて成膜するプラズマＣＶＤ装置であって、
前記巻き出し用真空室には前記巻き出しロールが設置され、
前記巻き取り用真空室には前記巻き取りロールが設置され、
前記電極は前記基板に対向して設けられ、
前記ガスを導入する手段は、前記基板の前記電極側の表面近傍に設けられ、
前記電極及び前記異常放電防止板は複数の開口を有し、
前記ガスを、前記複数の開口から前記成膜用真空室外へ排気することを特徴とするプラズマＣＶＤ装置。
【発明の詳細な説明】
【技術分野】
【０００１】
本発明は、プラズマＣＶＤ装置及び放電用電極に関する。
【背景技術】
【０００２】
近年、薄膜系太陽電池等電子デバイスの量産において、低コストで生産できる工程が期待されている。中でも半導体層成膜工程においては、成膜ガスの使用効率を上げたり、放電の投入に高周波電源を使用し、高速成膜を行ったりする等の工夫をしている。また、ガラス基板等固い基板と比較して、薄い樹脂フィルム等柔らかい基板は可撓性が有り、ロール状に巻くことができる。この可撓性基板を使用したときの、製造の低コスト化を図る手段の一つとして、ロール状に巻いた可撓性基板を他方のロールへ巻き取りながら、その過程において成膜、印刷、レーザー加工等の各単位操作をインラインで行って、連続的に処理する方法が知られている。この方法をロールツーロール（Ｒｏｌｌ−ｔｏ−Ｒｏｌｌ、以下ロールツーロールと表記）法と呼んでいる。
【０００３】
特に薄膜形成工程の生産性を高める方法として、例えば特開昭５８−２１６４７５号公報、特開昭５９−３４６６８号公報に示されるようなロールツーロール方式の搬送装置を設けた成膜装置を使用し、連続搬送及び連続成膜を行うことは有効である。ロールツーロール方式の搬送装置を設けた成膜装置においては、可撓性フィルム基板を連続的に搬送しながら連続成膜を行うわけであるが、所望の膜厚を効率良く得るためには、成膜用の放電電極長を長くする、搬送速度を上げる、長尺を連続して成膜する等の方法がある。
【０００４】
非単結晶シリコン膜をプラズマＣＶＤ法で形成する場合、放電空間中ではシランガスSiH4が分解されて基板上の非単結晶シリコン膜面に到達し、結合して成膜されるわけである。このとき放電空間中のシランガスは分解後、基板上の非単結晶シリコン膜面に到達する前にも単分子同士の凝集を起こす。その結果放電空間中には単分子の原料ガス、モノマー、複数の分子が凝集したクラスター、核、超微粒子と、大きさに応じて様々な呼ばれ方をする凝集粒子が存在することになる。
本明細書では放電空間中で発生した凝集粒子を微粒子と呼ぶことにする。一方、非単結晶シリコン膜は被成膜基板の他に放電用電極、真空室内壁面にも成膜される。その後前記非単結晶シリコン膜は、壁面または電極との密着性や応力の違いによって剥離し、破片状の粒子が発生する。本明細書では壁面または電極に成膜された後、剥離して発生した粒子を破片状粒子と呼ぶ。
【０００５】
太陽電池等の電子デバイスを形成する場合、所望の非単結晶シリコン膜厚より大きな径の微粒子または破片状粒子粒子が被成膜基板上に付着すると、太陽電池の特性及び良品歩留まりを低下させる。図１に太陽電池を形成してゆく過程を断面図で示し、歩留まり低下の原因を述べる。先ず被成膜基板101上に下部電極層102を形成し、その上に非単結晶シリコン層を成膜する。非単結晶シリコン層を成膜中に、前記微粒子104及び破片状粒子105が下部電極上に付着し、非単結晶シリコン層中に取り込まれる。微粒子及び破片状粒子の大きさは様々であるが、非単結晶シリコン層の膜厚より大きなものも存在する。次に、微粒子または破片状粒子は非単結晶シリコン層成膜後に脱落してしまうことがある。図１（Ｂ）には微粒子、破片状粒子が脱落した後の穴を示す。その後、上部電極層107を成膜する。
すると微粒子または破片状粒子が脱落した後の穴領域において、上部電極と下部電極が接触する領域108が形成される。接触領域は微小で、抵抗も高いので、漏れ電流は微少である。太陽電池がＡＭ１．５の太陽光下にある場合、太陽電池の出力特性に及ぼす漏れ電流の影響はほとんどないが、蛍光灯下など低照度下にある場合、漏れ電流の影響が出力特性に表れ、特性歩留まり低下の要因になっていた。
【０００６】
従来構造のプラズマＣＶＤ装置用放電電極を図２に示す。接地電極202と高周波電源側電極203の間に放電し、被成膜基板201上に成膜する。原料ガス206は高周波電源側電極の中を通り電極板204上に開けられた小さな穴から噴出し、被成膜基板方向のガス流207となる。電極板204は金属製の平板に小さな穴が多数開いているためシャワー板とも呼ばれる。本明細書において前記原料ガス導入構造の放電電極をシャワー板方式と呼ぶ。シャワー板方式の放電電極において、放電空間205中で成長した微粒子211及び電極板上から剥離した破片状粒子210は、被成膜基板方向のガス流207から粘性抵抗力を受け、被成膜基板201の方向へ流れてゆき、被成膜基板上に付着する。
【０００７】
プラズマＣＶＤ法等を用いて高速成膜を行うと、放電空間中のシース領域において、原料ガスより成長した微粒子の発生する確率が高くなる。また長時間にわたる連続成膜を行うと、放電電極上に堆積した膜が、破片状粒子となって剥離し、基板に付着する。成膜時間の経過と共に放電電極上に堆積する膜は厚くなり、破片状粒子が基板に付着する確率は高くなる。
【０００８】
放電電極から剥離した破片状粒子が被成膜基板に付着するのを防ぐには、電極表面に膜が少し堆積した段階で剥離する前に、エッチングを行って電極表面の膜を除去することが一つの方法である。しかし実際は、例えばロールツーロール法を用いて成膜を行った場合、十分な長さにわたって連続成膜ができないうちにエッチングを頻繁に行わなければならず、連続成膜を行っている場合は成膜をたびたび停止しなければならない。破片状粒子の付着防止のためエッチングを頻繁に行う方法を用いることは生産効率が悪い。また放電電極からの剥離が発生しにくくするために、電極板の加熱などの方法があるが、やはり剥離する前にエッチングを行わなければならないことに変わりはなく、十分長時間にわたって連続成膜はできない。
【０００９】
放電空間中の微粒子を除去する方法として、特開昭６２−４３５５４号公報に開示されるような、被成膜基板と平行方向に原料ガスを流す方法がある。図３に被成膜基板と平行方向に原料ガスを流した場合の、原料ガスの流れを示す。この方法では被成膜基板301と平行なガス流は、被成膜基板と放電用電極303の間の長い距離を移動している間に、ガス流の乱れによって、被成膜基板へ向かう方向の流れ306を含むようになる。放電空間304中で発生した微粒子や放電電極303上に堆積して剥離した破片状粒子はガス流に沿って移動するわけであるが、前記粒子の一部はガス流の乱れや拡散によって被成膜基板方向に流れてゆき、付着する。また特開平５−１４４５９５号公報に開示されるように、ガス流を放電電極も含めて閉鎖した空間の一方向から導入し、他方から排気する方法がある。この方法においても破片状粒子や微粒子は、成膜面が対向する基板の間をガス流に沿って長い距離を移動することになるため、前記粒子の一部はガス流の乱れや拡散によって被成膜基板方向に流れてゆき、付着する。
【００１０】
パルスプラズマ法は、放電空間中で分解されてできた反応性の単分子が凝集し微粒子の大きさに成長するまでの間に一度放電を止め、原料ガスの流れに沿って比較的小さい微粒子のまま排出しようとする方法である。放電用電源からの電力はＯＮとＯＦＦが短時間で繰り返されるのでパルス状になる。しかしパルスプラズマ法において、微粒子を、太陽電池等の特性低下に影響のない大きさのところで排出しようとすると、非常に放電時間が短く比較的放電を停止している時間が長くなり原料ガスの利用効率が低くなる。また放電停止中もガス流は存在するので、破片状粒子は被成膜基板に付着する。
【発明の概要】
【発明が解決しようとする課題】
【００１１】
放電空間中で凝集し発生した微粒子、真空室内壁面または放電電極上に成膜された後、剥離して発生した破片状粒子等の粒子が被成膜基板へ付着することを防止し、特性歩留まりの良好な太陽電池等電子デバイスを連続的に供給する。また長時間連続放電を行っても放電電極のクリーニングを不要にし、プラズマＣＶＤ装置における生産性を向上させる。
【課題を解決するための手段】
【００１２】
成膜室内において、導入するガスの流れを被成膜基板の成膜面から遠ざかる方向に整流することにより、放電空間で発生した微粒子、及び真空室内壁面や放電電極上から剥離して発生した破片状粒子をガスの流れに乗せて排出し、被成膜基板の成膜面に付着することを防止する。また前記微粒子や破片状粒子は、放電電極表面全体に設けた複数の開口部から吸引し排出し、放電電極上に堆積する膜の量と剥離し排出する膜の量が釣り合った定常状態にすることにより、放電電極のクリーニングを長時間行わずに連続成膜が可能となる。
【００１３】
本発明の構成を、図面を用いて説明する。先ず、図４（Ａ）に示すような構造の放電電極を準備した。材料は導電性と真空室内使用を考慮してアルミニウム合金を使用した。導入ガスを被成膜基板401表面近傍のガス導入管407から導入する。
前記導入ガスは放電空間412を通って複数の開口部を持つ電極板404表面に達し、複数の開口部を持つ異常放電防止板405を通って排気口411より排出される。電極板404は複数の開口部を持つ金属板または金網状のものでも良い。つまりガスを排気するための開口部をできるだけ大きく設けた金属板とする。
【００１４】
放電空間412付近の詳細を図４（Ｂ）に示す。導入ガスの流れは被成膜基板401から放電空間を通って電極板404の方へ向かっているので、放電空間中の領域416付近で発生した微粒子は電極板の開口部419から排出される。また電極板404上に成膜され、剥離して発生した破片状粒子も、一時的にガス流の乱れによって舞い上がる可能性はあるが開口部へ向かうガス流によって排出され、被成膜基板表面に到達することはない。よって、被成膜基板上の成膜面への微粒子及び破片状粒子の付着を防止することができる。
【００１５】
電極板404に堆積した膜において、新しく堆積する膜の量と、剥離して排出される膜の量が釣り合った定常状態にすることにより、堆積した膜の量は一定量以上増加しない。従来技術では、堆積した膜を成膜中に除去することができず、成膜を止めてエッチングを行っていたが、本発明の技術では放電電極のクリーニングを長時間行わずに連続成膜が可能となる。
【００１６】
厳密に見ると、粒子には慣性力、重力、ブラウン拡散、静電気力等の力が働いている。前記粒子に働く力の中で、慣性力、重力は粒子径が大きくなるほど働きやすい。またブラウン拡散、静電気力は粒子径が小さくなるほど働きやすい。つまり粒子は、大きさが大きくなる程慣性力、重力による影響を受けて動き、小さくなる程ブラウン拡散、静電気力による影響を受けて動く。太陽電池等の電子デバイスで、特性歩留まりの低下を引き起こす問題となっている微粒子及び破片状粒子は、膜厚と同じかそれ以上の大きさを持つ。この大きさの微粒子及び破片状粒子においては、慣性力、重力の影響による動きが支配的になる。
【００１７】
本発明においては、目的とする太陽電池等電子デバイスの膜厚より大きな径を持ち、膜中に取り込まれ特性に影響を与える微粒子及び破片状粒子を対象としている。前記微粒子及び破片状粒子は、ガス流による慣性力及び重力によって動き、前記ガス流を被成膜基板の成膜面から遠ざかる方向に整流すること、また被成膜基板上の成膜面を下向きにし、微粒子及び破片状粒子が重力によって成膜面に降り積もらないようにすることで被成膜基板の成膜面に付着することを防止する。
本発明において、被成膜基板や成膜室壁面、放電電極表面への成膜は、原料ガス分子と同程度の大きさを持つモノマーや数分子程度が凝集したクラスター他、慣性力、重力の影響よりもブラウン拡散、静電気力による影響が支配的になる比較的小さな粒子が、拡散等によって被成膜基板や成膜室壁面、放電電極表面に到達し、堆積することにより行われる。
【発明の効果】
【００１８】
本発明のプラズマＣＶＤ装置により、放電空間中で凝集し発生した微粒子、真空室内壁面または放電電極上に成膜された後、剥離して発生した破片状粒子等の粒子が被成膜基板へ付着することを防止し、特性歩留まりの良好な太陽電池等電子デバイスを連続的に供給することが可能となる。また長時間連続放電を行っても放電電極のクリーニングを不要にし、プラズマＣＶＤ装置における生産性を向上させることが可能となる。
【図面の簡単な説明】
【００１９】
【図１】太陽電池の作成過程における特性不良発生の様子
【図２】シャワー板方式のプラズマＣＶＤ装置用放電電極
【図３】基板と平行にガスを流す方式のプラズマＣＶＤ装置用放電電極
【図４】成膜面から遠ざかる方向にガスを流し、電極で吸引する方式のプラズマＣＶＤ装置用放電電極
【図５】成膜面から遠ざかる方向にガスを流し、電極で吸引する方式のプラズマＣＶＤ装置
【図６】特性測定用太陽電池
【図７】製品仕様太陽電池断面図
【図８】製品仕様太陽電池平面図
【発明を実施するための形態】
【００２０】
[実施形態１]
本実施例ではＰＩＮ構造の非単結晶シリコン太陽電池を作製し、微粒子や破片状粒子の影響による出力特性を見る。先ず、図５に示すようなプラズマＣＶＤ装置を準備する。前記プラズマＣＶＤ装置は巻き出しロール508及び巻き取りロール509から成る可撓性基板搬送装置、巻き出し用真空室505、成膜用真空室506、巻き取り用真空室507、成膜ガス導入系、ガス排気口510、高周波電源導入系を備える。高周波電源導入系は、基板加熱用ヒーターを兼ねた接地電極509と、電極周辺部へのプラズマ遮蔽を兼ねた接地電極503、及び対向する高周波電源側ガス吸引電極504より構成する。
【００２１】
高周波電源側電極板504には、開口部φ２〜８、開口部間隔３〜８ｍｍのアルミニウム合金製パンチングメタル、または＃１０〜２０の金属製網を使用する。ガス導入管511は、内径φ４のアルミニウム合金製パイプを使用し、側面にφ１の穴を２ｃｍ間隔で開ける。前記穴を原料ガス導入口として使用する。高周波電源側電極板504とガス排気口510の間には、異常放電防止板512を設ける。前記異常放電防止板には＃１０〜２０の金属製網を使用する。
【００２２】
可撓性基板501を巻き出しロール508から巻き出し、接地電極502と、対向するガス吸引電極504の間を通って巻き取りロール509に巻き取られるよう設置する。この時、巻き取りロール509を基準にして巻き出しロール508に搬送方向とは逆方向の一定トルクをかけ、可撓性基板に張力をかける。本実施例では、可撓性基板にＰＥＮ（ポリエチレンナフタレート）フィルムを使用する。また可撓性基板上には下部電極を形成しておく。例えばアルミニウム、ＳＵＳ（ステンレススチール）の二層構造とする。
【００２３】
次に全ての真空室を減圧し、可撓性基板成膜面が所望の温度になるよう基板加熱用ヒーターを昇温する。前記温度は、Ｎ層及びＰ層成膜時は１００℃、Ｉ層成膜時は２００℃になるよう設定する。また、成膜用原料ガスを導入し、圧力を調整する。Ｎ層成膜時はシラン、フォスフィン、水素の混合ガス、Ｉ層成膜時はシラン、水素の混合ガス、Ｐ層成膜時はシラン、ジボラン、水素の混合ガスを導入し、圧力を５３〜２６６Ｐａとする。フォスフィン、ジボランはシランに対して０．２〜２％の割合で混合する。
【００２４】
圧力を調整後、電極に高周波電力を投入し、プラズマを発生させ、非単結晶シリコンを成膜する。投入する高周波電力は、成膜時投入電力は０．０６〜０．８Ｗ／ｃｍ2とする。同時に巻き取りロールで巻き取りながら可撓性基板を搬送し、成膜を行う。Ｎ層及びＰ層厚さは０．０１〜０．０５μｍ、Ｉ層厚さは０．３〜０．８μｍとする。
【００２５】
成膜後、非単結晶シリコン層の上に上部電極を形成して、１ｃｍ2の太陽電池を完成する。太陽電池の作成方法を図６に示す。先ず、成膜後は図６（Ａ）に示すように、長尺の可撓性基板601上に下部電極602、非単結晶シリコン層603が形成された状態である。次に図６（Ｂ）に示すように、上部電極604を、島状に形成し、上部電極の横に絶縁層605を形成する。例えば前記上部電極は、透光性導電膜となるＩＴＯ（酸化インジウムスズ）を、スパッタリング法で、マスクを用いて形成する。また前記絶縁層は、常温硬化型の絶縁性樹脂を用いて、塗布法で形成する。絶縁層は、特性測定時、測定プローブの圧力によって、上部電極が非単結晶シリコン層を突き破って下部電極に接触することを防止するために形成する。前記上部電極及び絶縁層を形成後、図６（Ｃ）に示すように、上部電極604の一部から絶縁層605を覆うように、高導電性電極を形成する。例えば前記高導電性電極はアルミニウムを、真空蒸着法で、マスクを用いて形成する。高導電性電極は、特性測定時、測定プローブとの接触抵抗を軽減するためと、上部電極による直列抵抗を下げるために形成する。前記高導電性電極を形成すると、図６（Ｃ）に示すように、発電に寄与する太陽電池部分607a、607b、607cが完成する。特性測定方法は、図６（Ｄ）に示すように、測定プローブ608a、608b、608cを上部電極604に接続する高導電性電極606に、測定プローブ609を下部電極602に接触させて測定する。測定プローブ609は、非単結晶シリコン層を突き破って接触させるため、先端が尖ったものを使用すると良い。また、測定プローブ609は、太陽電池部分607a、607b、607c共通の測定用である。
【００２６】
長尺の可撓性基板上で、成膜開始からの各搬送距離で太陽電池を作成し、−２〜−６Ｖの電圧をかけ、漏れ電流特性を測定する。そして前記特性において、上部電極と下部電極の短絡による特性不良の太陽電池が、どの程度の割合で発生しているかを見る。従来のシャワー板方式電極を用いたプラズマＣＶＤ装置で成膜、作成した太陽電池は、成膜開始より１５ｍの位置で特性不良が５０％発生していたが、本発明のプラズマＣＶＤ装置で成膜、作成した太陽電池は、成膜開始より３００ｍ以上の位置でも特性不良は５〜２０％に抑えることができる。
【００２７】
[実施形態２]
本発明における他の実施例では、ＰＩＮ構造の非単結晶シリコン太陽電池を、集積化構造で作製する。太陽電池の平面図を図８に示し、一点鎖線で示す断面801から802における太陽電池の製作過程を図７で説明する。先ず、実施例1と同様に、図５に示すようなプラズマＣＶＤ装置を使用し、図７（Ａ）に示すような長尺の可撓性基板701上に下部電極702、非単結晶シリコン層703を成膜する。本実施例では可撓性基板にＰＥＮ（ポリエチレンナフタレート）フィルムを使用し、下部電極には厚さ３００ｎｍのアルミニウムと厚さ５ｎｍのＳＵＳを二層構造で形成する。非単結晶シリコン層上には、太陽電池作製工程によって上部電極と下部電極の接触を防ぐため、絶縁層704a、704b、704c、704d、704e、704f、704g、704h、704i、704jを形成する。本実施例では絶縁層に熱硬化性樹脂を、スクリーン印刷法を使用して形成する。
【００２８】
次に、図７（Ｂ）に示すように、上部電極705を成膜、更にレーザーパターニング時に発生する粉状の粒子より太陽電池の受光面を保護するため、保護膜706a、706b、706c、706dを形成する。本実施例では上部電極にはＩＴＯを、スパッタ装置を使用して、厚さ５５ｎｍで形成する。また保護膜には、透光性を有する熱硬化性樹脂を、スクリーン印刷法を使用して形成する。前記保護膜形成後、図７（Ｄ）に示すように、レーザーパターニング法を使用して、下部電極層、非単結晶シリコン層及び上部電極層を各単位部分に分断し、太陽電池の各単位715a、715b、715c、715dを形成する。上部電極から下部電極までを各単位に分断する分断部は707a、707b、707c、707dであり、分断部708a、708b、708c、708dは上部電極のみを分断する。また太陽電池の外形を形成するための分断部709a、709bと、太陽電池の取り出し電極を可撓性基板の下側に形成するための電極を通す穴710a、710bも同時に形成する。前記分断部は、図７（Ｅ）に示すように、絶縁性樹脂711a、711b、711c、711d、711e、711f、711g、711h、711i、711jで埋めておき、図７（Ｆ）に示すように、配線電極712a、712b、712c、712d、712eを形成する。分断部を絶縁性樹脂で埋めておくことによって、配線電極を形成したときに、上部電極と下部電極が接触することを防止する。本実施例では絶縁性樹脂に熱硬化性樹脂を、スクリーン印刷法を使用して形成する。また配線電極には導電性樹脂を、スクリーン印刷法を使用して形成する。更に図７（Ｇ）に示すように、レーザーボンディング法を用いて、太陽電池の一単位における上部電極と、隣接する一単位における下部電極を接続し、各単位を電気的に直列接続する。例えば太陽電池の一単位である715bにおいて、上部電極705bは配線電極712bとレーザーボンディング部713aによって、隣接する太陽電池の一単位715aの下部電極702aに接続し、下部電極702bは、715aとは反対側に隣接する太陽電池の一単位715cの上部電極705cと、レーザーボンディング部713c及び配線電極712cによって接続する。直列接続後、上部電極側の端は配線電極712aによって、また下部電極側の端はレーザーボンディング部713dと配線電極712eによって、可撓性基板の下側に取り出す。
【００２９】
最後に、図７（Ｈ）に示すように、上部電極側取り出し電極714a、下部電極側取り出し電極714bを形成し、太陽電池の単位を四単位直列に接続した集積化構造の太陽電池を完成する。本実施例では、取り出し電極には導電性樹脂を、スクリーン印刷法を用いて形成する。微粒子及び破片状粒子を原因とする特性不良が、太陽電池の一単位でも発生すると、四単位直列接続した太陽電池の出力特性も低下し、特性良品歩留まりを低下させる。しかし本発明のプラズマＣＶＤ装置及び放電用電極を使用することによって、長尺にわたって、微粒子及び破片状粒子が被成膜基板へ付着することを防止し、特性歩留まりの良好な太陽電池を作製することができる。
【符号の説明】
【００３０】
101、201、301、401  被成膜基板
102  下部電極層
103  半導体層
104、418  微粒子
105、417  破片状粒子
106  下部電極層がむき出しになった部分
107  上部電極層
108  上部電極と下部電極が接触する領域
202、302、402、502  接地電極
203、303、403  高周波電源側電極
204、404、504  高周波電源側電極板
205、304、412  放電空間
206  原料ガス
207  被成膜基板方向のガス流
208、415  電極板表面領域
209、416  放電空間領域
210  破片状粒子
211  微粒子
305  被成膜基板の成膜面と平行方向のガス流
306  粒子の動き
405  異常放電防止板
406、503  電極周辺部へのプラズマ遮蔽を兼ねた接地電極
407  ガス導入管
408  マスク
409  絶縁性シールド
410  絶縁性排気管
411、510  ガス排気口
414  被成膜基板から遠ざかる方向へのガス流
419  電極板の開口部
501  可撓性基板
505  巻き出し用真空室
506  成膜用真空室
507  巻き取り用真空室
508  巻き出しロール
509  巻き取りロール
511  ガス導入管511は
512  異常放電防止板
601、701  被成膜基板
602、702  下部電極
603、703  非単結晶シリコン膜
604  上部電極
605  絶縁層
606  高導電性電極
607a、607b、607c  光発電に寄与する太陽電池部分
608a、608b、608c、609  測定プローブ
704a、704b、704c、704d、704e、704f、704g、704h、704i、704j、711a、711b、
711c、711d、711e、711f、711g、711h、711i、711j  絶縁層
705、705a、705b、705c、705d  上部電極
706a、706b、706c、706d  保護膜
707a、707b、707c、707d  全層分断部
708a、708b、708c、708d  上部電極分断部
709a、709b  外形分断部
710a、710b  取り出し電極用穴
712a、712b、712c、712d、712e  配線電極
713a、713b、713c、713d  レーザーボンディング部
715a、715b、715c、715d  太陽電池の一単位
801、802  断面を示す一点鎖線
【図１】
2010031381.tif 000003
【図２】
2010031381.tif 000004
【図３】
2010031381.tif 000005
【図４】
2010031381.tif 000006
【図５】
2010031381.tif 000007
【図６】
2010031381.tif 000008
【図７】
2010031381.tif 000009
【図８】
2010031381.tif 000010